【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
発光された光を入射する入射面、生体組織が接触する接触面、および前記生体組織が接触した前記接触面で反射された光、または前記生体組織が接触した前記接触面を介して前記生体組織を通過してきた光を出射する出射面を有する光学素子と、
前記接触面を露出させ、前記光学素子の外周部を包囲するように設けられた光学素子カバーとを備え、
前記生体組織の一部が入り込める空間が、前記光学素子と前記光学素子カバーとの間に形成されている、生体情報測定用光学部材。
【請求項２】
前記接触面は、前記空間の外側に突出している請求項１記載の、生体情報測定用光学部材。
【請求項３】
前記空間を覆うように設けられた、移動可能な空間カバーをさらに備え、
前記空間カバーは、前記接触面に接触した前記生体組織によって押圧されたときには、前記空間に沈み込む請求項１記載の、生体情報測定用光学部材。
【請求項４】
前記空間カバーは、弾性体によって保持されている請求項３記載の、生体情報測定用光学部材。
【請求項５】
前記生体組織が前記接触面に接触しているときに、前記空間を減圧する減圧手段をさらに備えた請求項１記載の、生体情報測定用光学部材。
【請求項６】
前記空間を覆うように設けられた、窓をもつ移動可能な空間カバーをさらに備え、
前記空間カバーは、前記接触面に接触した前記生体組織によって押圧されたときには、前記空間に沈み込み、
前記減圧手段は、前記窓を通じて排気を行うことによって、前記空間を減圧する請求項５記載の、生体情報測定用光学部材。
【請求項７】
前記光学素子カバーの外面の全部または一部に設けられた減光手段をさらに備えた請求項１記載の、生体情報測定用光学部材。
【請求項８】
前記減光手段は、光を反射する光反射体、光を吸収する光吸収体、および光を散乱する光散乱体の内の少なくとも一つである請求項７記載の、生体情報測定用光学部材。
【請求項９】
前記接触面は、溝をもつ請求項１記載の、生体情報測定用光学部材。
【請求項１０】
前記光学素子は、屈折率が１．５５以上である請求項９記載の、生体情報測定用光学部材。
【請求項１１】
前記接触面は、曲面をもつ請求項１記載の、生体情報測定用光学部材。
【請求項１２】
前記光学素子カバーの端面の、前記生体組織に接触する部分は、曲面をもつ請求項１記載の、生体情報測定用光学部材。
【請求項１３】
請求項１記載の生体情報測定用光学部材と、
前記光を発光する光源と、
前記出射面から出射された前記光を検出する光検出器と、
前記検出の結果に基づいて、前記生体組織を有する生体に関する生体情報を演算する演
算部とを備えた、生体情報算出装置。
【請求項１４】
演算される前記生体情報は、前記生体組織に含まれる物質の濃度に関する情報である請求項１３記載の、生体情報算出装置。
【手続補正２】
【補正対象書類名】明細書
【補正対象項目名】発明の名称
【補正方法】変更
【補正の内容】
【発明の名称】生体情報測定用光学部材、および生体情報算出装置
【手続補正３】
【補正対象書類名】明細書
【補正対象項目名】０００１
【補正方法】変更
【補正の内容】
【０００１】
本発明は、生体組織を光学的に測定することによって、体液中のグルコース、コレステロール、尿素、トリグリセリド、タンパク質等を非侵襲的に算出するための、生体情報測定用光学部材、および生体情報算出装置に関する。
【手続補正４】
【補正対象書類名】明細書
【補正対象項目名】００２６
【補正方法】変更
【補正の内容】
【００２６】
本発明は、上記従来のこのような課題を考慮し、外乱光による生体情報測定への悪影響を抑制することができる、生体情報測定用光学部材、および生体情報算出装置を提供することを目的とする。
【手続補正５】
【補正対象書類名】明細書
【補正対象項目名】００２７
【補正方法】変更
【補正の内容】
【００２７】
第１の本発明は、
発光された光を入射する入射面、生体組織が接触する接触面、および前記生体組織が接触した前記接触面で反射された光、または前記生体組織が接触した前記接触面を介して前記生体組織を通過してきた光を出射する出射面を有する光学素子と、
前記接触面を露出させ、前記光学素子の外周部を包囲するように設けられた光学素子カバーとを備え、
前記生体組織の一部が入り込める空間が、前記光学素子と前記光学素子カバーとの間に形成されている、生体情報測定用光学部材である。
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】変更
【補正の内容】
【００２９】
第２の本発明は、
前記接触面は、前記空間の外側に突出している第１の本発明の、生体情報測定用光学部材である。
【手続補正８】
【補正対象書類名】明細書
【補正対象項目名】００３０
【補正方法】変更
【補正の内容】
【００３０】
第３の本発明は、
前記空間を覆うように設けられた、移動可能な空間カバーをさらに備え、
前記空間カバーは、前記接触面に接触した前記生体組織によって押圧されたときには、前記空間に沈み込む第１の本発明の、生体情報測定用光学部材である。
【手続補正９】
【補正対象書類名】明細書
【補正対象項目名】００３１
【補正方法】変更
【補正の内容】
【００３１】
第４の本発明は、
前記空間カバーは、弾性体によって保持されている第３の本発明の、生体情報測定用光学部材である。
【手続補正１０】
【補正対象書類名】明細書
【補正対象項目名】００３２
【補正方法】変更
【補正の内容】
【００３２】
第５の本発明は、
前記生体組織が前記接触面に接触しているときに、前記空間を減圧する減圧手段をさらに備えた第１の本発明の、生体情報測定用光学部材である。
【手続補正１１】
【補正対象書類名】明細書
【補正対象項目名】００３３
【補正方法】変更
【補正の内容】
【００３３】
第６の本発明は、
前記空間を覆うように設けられた、窓をもつ移動可能な空間カバーをさらに備え、
前記空間カバーは、前記接触面に接触した前記生体組織によって押圧されたときには、前記空間に沈み込み、
前記減圧手段は、前記窓を通じて排気を行うことによって、前記空間を減圧する第５の本発明の、生体情報測定用光学部材である。
【手続補正１２】
【補正対象書類名】明細書
【補正対象項目名】００３４
【補正方法】変更
【補正の内容】
【００３４】
第７の本発明は、
前記光学素子カバーの外面の全部または一部に設けられた減光手段をさらに備えた第１の本発明の、生体情報測定用光学部材である。
【手続補正１３】
【補正対象書類名】明細書
【補正対象項目名】００３５
【補正方法】変更
【補正の内容】
【００３５】
第８の本発明は、
前記減光手段は、光を反射する光反射体、光を吸収する光吸収体、および光を散乱する光散乱体の内の少なくとも一つである第７の本発明の、生体情報測定用光学部材である。
【手続補正１４】
【補正対象書類名】明細書
【補正対象項目名】００３６
【補正方法】変更
【補正の内容】
【００３６】
第９の本発明は、
前記接触面は、溝をもつ第１の本発明の、生体情報測定用光学部材である。
【手続補正１５】
【補正対象書類名】明細書
【補正対象項目名】００３７
【補正方法】変更
【補正の内容】
【００３７】
第１０の本発明は、
前記光学素子は、屈折率が１．５５以上である第９の本発明の、生体情報測定用光学部材である。
【手続補正１６】
【補正対象書類名】明細書
【補正対象項目名】００３８
【補正方法】変更
【補正の内容】
【００３８】
第１１の本発明は、
前記接触面は、曲面をもつ第１の本発明の、生体情報測定用光学部材である。
【手続補正１７】
【補正対象書類名】明細書
【補正対象項目名】００３９
【補正方法】変更
【補正の内容】
【００３９】
第１２の本発明は、
前記光学素子カバーの端面の、前記生体組織に接触する部分は、曲面をもつ第１の本発明の、生体情報測定用光学部材である。
【手続補正１８】
【補正対象書類名】明細書
【補正対象項目名】００４０
【補正方法】変更
【補正の内容】
【００４０】
第１３の本発明は、
第１の本発明の生体情報測定用光学部材と、
前記光を発光する光源と、
前記出射面から出射された前記光を検出する光検出器と、
前記検出の結果に基づいて、前記生体組織を有する生体に関する生体情報を演算する演算部とを備えた、生体情報算出装置である。
【手続補正１９】
【補正対象書類名】明細書
【補正対象項目名】００４１
【補正方法】変更
【補正の内容】
【００４１】
第１４の本発明は、
演算される前記生体情報は、前記生体組織に含まれる物質の濃度に関する情報である第１３の本発明の、生体情報算出装置である。
【手続補正２０】
【補正対象書類名】明細書
【補正対象項目名】００４２
【補正方法】削除
【補正の内容】
【手続補正２１】
【補正対象書類名】明細書
【補正対象項目名】００４３
【補正方法】削除
【補正の内容】
【手続補正２２】
【補正対象書類名】明細書
【補正対象項目名】００４４
【補正方法】削除
【補正の内容】
【手続補正２３】
【補正対象書類名】明細書
【補正対象項目名】０１３１
【補正方法】変更
【補正の内容】
【０１３１】
なお、本実施の形態の生体情報算出装置の動作について説明しながら、本発明に関連する発明の生体情報算出方法の一実施の形態についても説明する。
【手続補正２４】
【補正対象書類名】明細書
【補正対象項目名】０１３７
【補正方法】変更
【補正の内容】
【０１３７】
なお、本発明に関連する発明のプログラムは、上述した本発明に関連する発明の生体情報算出方法の全部または一部のステップの動作をコンピュータにより実行させるためのプログラムであって、コンピュータと協働して動作するプログラムである。
【手続補正２５】
【補正対象書類名】明細書
【補正対象項目名】０１３８
【補正方法】変更
【補正の内容】
【０１３８】
また、本発明に関連する発明の記録媒体は、上述した本発明に関連する発明の生体情報算出方法の全部または一部のステップの全部または一部の動作をコンピュータにより実行させるためのプログラムを担持した記録媒体であり、コンピュータにより読み取り可能かつ、読み取られた前記プログラムが前記コンピュータと協動して前記動作を実行する記録媒体である。
【手続補正２６】
【補正対象書類名】明細書
【補正対象項目名】０１３９
【補正方法】変更
【補正の内容】
【０１３９】
なお、上記「一部のステップ」とは、それらの複数のステップの内の、一つまたは幾つかのステップを意味する。
【手続補正２７】
【補正対象書類名】明細書
【補正対象項目名】０１４０
【補正方法】変更
【補正の内容】
【０１４０】
また、上記「ステップの動作」とは、前記ステップの全部または一部の動作を意味する。
【手続補正２８】
【補正対象書類名】明細書
【補正対象項目名】０１４１
【補正方法】変更
【補正の内容】
【０１４１】
また、本発明に関連する発明のプログラムの一利用形態は、コンピュータにより読み取り可能な記録媒体に記録され、コンピュータと協働して動作する態様であっても良い。
【手続補正２９】
【補正対象書類名】明細書
【補正対象項目名】０１４２
【補正方法】変更
【補正の内容】
【０１４２】
また、本発明に関連する発明のプログラムの一利用形態は、伝送媒体中を伝送し、コンピュータにより読みとられ、コンピュータと協働して動作する態様であっても良い。
【手続補正３０】
【補正対象書類名】明細書
【補正対象項目名】０１４４
【補正方法】変更
【補正の内容】
【０１４４】
また、上述したコンピュータは、ＣＰＵ等の純然たるハードウェアに限らず、ファームウェアや、ＯＳ、更に周辺機器を含むものであっても良い。
【手続補正３１】
【補正対象書類名】明細書
【補正対象項目名】０１４５
【補正方法】変更
【補正の内容】
【０１４５】
なお、以上説明した様に、本発明または本発明に関連する発明の構成は、ソフトウェア的に実現しても良いし、ハードウェア的に実現しても良い。
【手続補正３２】
【補正対象書類名】明細書
【補正対象項目名】０１４６
【補正方法】変更
【補正の内容】
【０１４６】
本発明にかかる生体情報測定用光学部材、および生体情報算出装置は、外乱光による生体情報測定への悪影響を抑制することができ、有用である。